(57)【特許請求の範囲】
【請求項１】
記録媒体と、前記記録媒体を回転駆動するための駆動モータと、前記駆動モータが取り付けられた駆動装置本体と、前記駆動装置本体と協働して前記記録媒体を収容する収容室を規定するカバー部材と、を具備する記録媒体駆動装置において、
前記カバー部材は前記記録媒体と対向して位置するカバー壁を有し、前記カバー壁の内側には所定間隔をおいて仕切壁が設けられ、前記カバー壁と前記仕切壁との間には通路空間が形成されており、
前記仕切壁の半径方向外周部において前記通路空間と前記収容室が常時連通されているとともに、前記仕切壁の前記記録媒体の回転中心部に対向する部位には開口が形成され、この開口を通して前記通路空間と前記収容室とが常時連通されており、
前記通路空間は、気体を前記仕切り壁の半径方向外周部から前記開口までスムースに導くと共に前記カバー部材の剛性を高くするように、前記カバー壁と前記仕切壁の一部を連結して、前記駆動モータの回転中心に対して点対称に形成された複数の通気路で構成され、
前記記録媒体が回転駆動されると、その回動によって前記仕切壁と記録媒体の間の空間の気体が遠心力によって半径方向外方に流れ、かく外方に流れた気体は前記通路空間及び前記仕切壁の前記開口を通して前記仕切壁と記録媒体の間の空間に戻され、このような気体の循環によって前記記録媒体の中央部近傍の圧力低下が抑えられることを特徴とする記録媒体駆動装置。
【請求項２】
前記カバー部材の前記カバー壁及び／又は前記仕切壁には、案内突条が設けられ、前記案内突条によって気体を前記仕切壁の前記開口に導くための前記通気路が形成されていることを特徴とする請求項１記載の記録媒体駆動装置。
【請求項３】
前記カバー部材の前記カバー壁と前記仕切壁との間には中間プレートが介在され、前記中間プレートには、気体を前記仕切壁の前記開口に導くための前記通気路が形成されていることを特徴とする請求項１記載の記録媒体駆動装置。
【請求項４】
前記中間プレートは凹凸状に形成されており、前記カバー部材の前記カバー壁と前記中間プレートとの間、及び前記仕切壁と前記中間プレートとの間に前記通気路が規定されていることを特徴とする請求項３記載の記録媒体駆動装置。
【請求項５】
前記仕切壁及び前記中間プレートは円形状であり、その外径は前記記録媒体の外径と実質上等しい又はこれより幾分大きいことを特徴とする請求項３又は４記載の記録媒体駆動装置。
【発明の詳細な説明】
【０００１】
【発明の属する技術分野】
本発明は、記録媒体を所定方向に回転駆動するための記録媒体駆動装置に関する。
【０００２】
【従来の技術】
ＣＤ−ＲＯＭ（ＣＤ−Ｒ）の如き記録媒体を所定方向に回転駆動するための記録媒体駆動装置は、記録媒体に書き込まれた情報を読み出す（記録媒体に情報を書き込む及び／又は書き込んだ情報を読み出す）ために、例えばパソコン等に搭載されている。この記録媒体駆動装置は、パソコン本体に取り付けられる駆動装置本体と、この駆動装置本体に取り付けられた駆動モータを備え、駆動モータの媒体取付部に記録媒体が着脱自在に取り付けられる。駆動装置本体に関連してカバー部材が設けられ、このカバー部材は駆動装置本体と協働して収容室を規定し、駆動モータに装着された記録媒体がこの収容室に収容されている。この記録媒体駆動装置では、駆動モータが回転することによって記録媒体が所定方向に回動され、駆動装置本体に設けられた読取り光学系（読取り及び／又は書込み光学系）によって、記録媒体に書き込まれた記録情報が読み取られる（記録媒体の記録情報が読み取られ及び／又は記録媒体に情報が書き込まれる）。
【０００３】
【発明が解決しようとする課題】
近年、パソコン等の分野では、取り扱うプログラム、データ等の情報量がますます増大する傾向にある。このように取り扱う情報量が増大すると、記録媒体から情報を読み取る（記録媒体から情報を読み取る及び／又は情報を書き込む）のに時間を要するようになり、かかる時間の短縮化を図るために駆動モータの回転速度、即ち記録媒体の回転速度が高速化している。加えて、同装置の小型化又は薄型化も進行している。
【０００４】
ところが、駆動装置本体及びカバー部材によって規定された収容室に記録媒体が収容される形態の駆動装置では、記録媒体の回転速度が高速化すると、記録媒体の回転に伴う遠心力によって、その周囲の空気が半径方向外方に流動し、特に空気が流動する空間が記録媒体の下方空間に比べて少ない上方空間では、記録媒体の外周側と中心側とに圧力差が生じ、その回転中心部近傍で圧力が低下する現象が生じる。この圧力低下現象は、記録媒体の回転速度が大きくなるにつれて顕著に現れ、その回転速度の２乗に比例して低下する。
【０００５】
記録媒体の回転中心部近傍における圧力低下が大きくなると、比較的剛性の弱いカバー部材が変形するカバー部材の変形現象、記録媒体又は駆動モータのロータ部がカバー部材側に浮き上がる浮上現象、また記録媒体が波打ったように振動する不安定振動現象等が発生し、記録媒体の情報の読取り及び／又は書込みにエラーが発生したり、記録媒体がカバー部材に接触したり、場合によっては記録媒体及び／又は駆動装置の一部が破損するおそれがある。これらの現象は上述のＣＤ−ＲＯＭ（ＣＤ−Ｒ）の如き記録媒体に限らず、その現象の発生条件は異なるが、ＨＤ等その他の記録媒体の駆動装置においても発生することがわかっている。
【０００６】
本発明の目的は、記録媒体を高速回転させた場合における上記カバー部材の変形現象、浮上現象及び記録媒体の不安定振動現象の発生を抑えることができる記録媒体駆動装置を提供することである。
【０００７】
【課題を解決するための手段】
本発明は、記録媒体と、前記記録媒体を回転駆動するための駆動モータと、前記駆動モータが取り付けられた駆動装置本体と、前記駆動装置本体と協働して前記記録媒体を収容する収容室を規定するカバー部材と、を具備する記録媒体駆動装置において、前記カバー部材は前記記録媒体と対向して位置するカバー壁を有し、前記カバー壁の内側には所定間隔をおいて仕切壁が設けられ、前記カバー壁と前記仕切壁との間には通路空間が形成されており、前記仕切壁の半径方向外周部において前記通路空間と前記収容室が常時連通されているとともに、前記仕切壁の前記記録媒体の回転中心部に対向する部位には開口が形成され、この開口を通して前記通路空間と前記収容室とが常時連通されており、前記通路空間は、気体を前記仕切り壁の半径方向外周部から前記開口までスムースに導くと共に前記カバー部材の剛性を高くするように、前記カバー壁と前記仕切壁の一部を連結して、前記駆動モータの回転中心に対して点対称に形成された複数の通気路で構成され、前記記録媒体が回転駆動されると、その回動によって前記仕切壁と記録媒体の間の空間の気体が遠心力によって半径方向外方に流れ、かく外方に流れた気体は前記通路空間及び前記仕切壁の前記開口を通して前記仕切壁と記録媒体の間の空間に戻され、このような気体の循環によって前記記録媒体の中央部近傍の圧力低下が抑えられることを特徴とする。
【０００８】
本発明に従えば、駆動装置本体はカバー部材と協働して収容室を規定し、この収容室に記録媒体が収容される。カバー部材のカバー壁の内側には仕切壁が設けられ、この仕切壁とカバー壁との間に通路空間が形成される。通路空間の外周部は収容室に連通され、また仕切壁に形成された開口を通して通路空間と収容室が連通されている。従って、記録媒体が回転すると、この回転に伴って収容室内の仕切壁と記録媒体の間の気体が遠心力によって半径方向外方に流動し、記録媒体の外周部近傍の圧力がその中心部近傍の圧力より高くなろうとするが、この圧力差が生じようとすると、半径方向外方に流動した気体は通路空間を通して半径方向内方に流れ、仕切壁の開口を通して記録媒体の回転中心部に対向する部位に戻され、このような気体の循環により収容室内の特定部位、特に記録媒体の中心部近傍の圧力低下を抑え、圧力低下による不都合を解消することができる。また、仕切壁を例えばカバー部材に取り付けることによって、カバー部材の剛性を高めることができる。
【０００９】
また、本発明では、前記カバー部材の前記カバー壁及び／又は前記仕切壁には、案内突条が設けられ、気体を前記仕切壁の前記開口に導くための前記通気路が形成されていることを特徴とする。
【００１０】
本発明に従えば、通路空間を規定するカバー壁及び仕切壁のいずれか一方又は双方に案内突条が設けられているので、半径方向外方に流動した気体は通気路を形成する案内突条に沿って導かれ、かくして半径方向外方に流れた気体を通路空間を通して仕切壁の開口に向けてスムースに流動することができる。尚、例えば案内突条をカバー壁と仕切壁との間に接続するように介在させることによって、両者の間隔を設定するスペーサとして機能させることができる。また、案内突条を設けることによってカバー部材の剛性を高めることができる。
【００１１】
また、本発明では、前記カバー部材の前記カバー壁と前記仕切壁との間には中間プレートが介在され、前記中間プレートには、気体を前記仕切壁の前記開口に導くための前記通気路が形成されていることを特徴とする。
【００１２】
本発明に従えば、中間プレートに通気路が形成されているので、半径方向外方に流れた気体はこの通気路を通して仕切壁の開口に向けてスムースに流動する。また、中間プレートはカバー部材と仕切壁との間に介在されるので、この中間プレートをスペーサとして機能させることができ、加えてカバー部材の剛性を高めることができる。
【００１３】
また、本発明では、前記中間プレートは凹凸状に形成されており、前記カバー部材の前記カバー壁と前記中間プレートとの間、及び前記仕切壁と前記中間プレートとの間に前記通気路が規定されていることを特徴とする。
【００１４】
本発明に従えば、中間プレートは凹凸条に形成されているので、中間プレート自体の剛性が極めて高く、カバー部材の剛性を高めることができる。また中間プレートの片面とカバー壁との間、及びその他面と仕切壁との間に通気路が形成され、比較的簡単な構成でもって通気路を形成することができるとともに、半径方向外方に流動した気体をかかる通気路を通して仕切壁の開口に所要の通りに流動することができる。
【００１５】
更に、本発明では、前記仕切壁及び前記中間プレートは円形状であり、その外径は前記記録媒体の外径と実質上等しい又はこれより幾分大きいことを特徴とする。
【００１６】
本発明に従えば、仕切壁及び中間プレートの外径は記録媒体の外径と実質上等しい又はこれより幾分大きいので、収容室内の気体は半径方向外方に記録媒体を越えて流動し、かく流動した気体は記録媒体の外側から通気路を通して仕切壁の開口に流れ、かくして記録媒体に対応する収容室内の気体をスムースに循環させて特定部位の圧力低下を抑えることができる。
【００１７】
【発明の実施の形態】
以下、添付図面を参照して、本発明に従う記録媒体駆動装置の実施形態について説明する。
第１の実施形態
図１〜図３は、本発明に従う記録媒体駆動装置の第１の実施形態を示し、図１は、第１の実施形態の記録媒体駆動装置を搭載したパソコンを簡略的に示す斜視図であり、図２は、図１の記録媒体駆動装置を簡略的に示す断面図であり、図３は、図２の記録媒体駆動装置を分解して示す簡略斜視図である。
【００１８】
図１を参照して、図示のノート型パソコンは、薄い直方体状のパソコン本体２と、このパソコン本体２に対して開閉自在に装着されたカバー体４とを備え、カバー体４の内面に液晶表示装置６が装着され、パソコン本体２の上面には複数の操作キー８が配置されている。パソコンを使用するとき、カバー体４は、パソコン本体２の上面を覆う閉状態から例えば図１に示す開状態に保持される。この開状態では、操作キー８の上方が開放され、液晶表示装置６を見ながら操作キー８を操作することができる。
【００１９】
このパソコン本体２には、ＣＤ−ＲＯＭの如き記録媒体１１を回転駆動するための記録媒体駆動装置１０が搭載されている。図１と共に図２及び図３を参照して、図示の記録媒体駆動装置１０は、駆動装置本体１２と、この駆動装置本体１２を覆うカバー部材１４とを備え、駆動装置本体１２及びカバー部材１４は相互に協働して収容室１６（図２）を規定する。この形態では、図１から理解される通り、駆動装置本体１２は、パソコン本体２内に収納される収納位置（図１に実線で示す位置）と、パソコン本体２から図１において右方に引き出された引出し位置（図１に二点鎖線で示す位置）との間を移動自在にパソコン本体２に支持されている。一方、カバー部材１４はパソコン本体２内の所定部位に装着されている。記録媒体１１を取り付け又は取り外すとき、駆動装置本体１２は上記引出し位置に位置付けられる。この引出し位置においては、駆動装置本体１２の大部分がパソコン本体２から突出してその上方が開放され、開放された上方から記録媒体１１を取り付け又は取り外しすることができる。記録媒体１１の記録情報を読み取るとき（記録媒体１１に情報の書込みをすることができる装置の場合、記録媒体１１に情報を書込むときにも）、駆動装置本体２は上記収納位置に位置付けられる。この収納位置においては、駆動装置本体１２はパソコン本体２内に収納され、図２に示すように、パソコン本体２内に取り付けられたカバー部材１４と協働して収容室１６を規定する。尚、この形態では、パソコン本体２内に専用のカバー部材１４を設ける構成であるが、パソコン本体２内の一部を用いてカバー部材１４と機能させるようにしてもよい。
【００２０】
駆動装置本体１２は略正方形状取付部材２０を有し、この取付部材２０の略中央部に駆動モータ１８が設けられている。駆動モータ１８は、静止部２１と、この静止部２１に対して回転自在であるロータ２２とを備えている。取付部材２０は回路基板２４が装着され、ゴムダンパ２３を介して駆動装置本体１２に支持されている。静止部２１にはステータ（図示せず）が装着され、またロータ２２には、上記ステータに対向してロータマグネット（図示せず）が装着され、ステータ及びロータマグネットの相互磁気作用によってロータ２２が所定方向に回転駆動される。ロータ２２には記録媒体保持手段２６が装着され、この記録媒体保持手段２６は、記録媒体１１を載置保持する載置テーブル２８と、記録媒体１１の中央孔を解除自在にロック保持するロック手段２７を含んでいる。かく構成されているので、記録媒体１１は載置テーブル２８に載置され、ロック手段２７によって解除自在にロック保持され、ロータ２２と一体的に所定方向に回転駆動される。
【００２１】
駆動装置本体１２には、記録媒体１１に書き込まれた情報を読み取るための例えば読取り光学系３０（情報の読取り及び書き込みができる装置の場合、読取り及び書き込み光学系）（図３）が取付部材２０に設けられている。読取り光学系３０は、明確に図示していないが、記録媒体１１に向けてレーザ光を投射する発光素子、記録媒体１１からの反射光を受光する受光素子、レーザ光を収束させるための各種レンズを含んでいる。この光学系３０は、記録媒体１１の半径方向に直線状に移動され、これによって、記録媒体１１の記録面に記憶された情報を読み取る。
【００２２】
カバー部材１４は略正方形状のカバー壁３２を有し、このカバー壁３２は、記録媒体１１の一面（図２及び図３において上面）を覆うように、これに対向して位置する。このカバー壁３２の３側部（この形態では、図３において左下側の駆動装置本体１２が引き出される側の側部を除く３側部）には、駆動装置本体１２側に突出する側壁３４（図２及び図３において２側壁のみ示す）が設けられている。従って、上記収納位置にあるとき、カバー部材１４のカバー壁３２は駆動装置本体１２の上方、即ち駆動モータ１８及びこれに装着された記録媒体１１の上方を覆い、その３側壁３４は駆動装置本体１２の引き出し側を除く３側面を覆い、駆動装置本体１２の引き出し側の側壁３６がカバー部材１４の開放された側面を塞ぎ、上記収納位置ではこのように駆動装置本体１２及びカバー部材１４によって収容室１６が規定され、この形態では、この収容室１６内に記録媒体１１及びこれを保持する記録媒体保持手段２６等が収容される。
【００２３】
この第１の実施形態では、カバー部材１４のカバー壁３２の内側にプレート状の仕切壁４０が配設され、この仕切壁４０とカバー壁３２との間に中間プレート４２が介在されている。仕切壁４０及び中間プレート４２はほぼ同じ大きさの円形状であり、上記収納位置にある駆動装置本体１２の駆動モータ１８に装着された円形状の記録媒体１１に対向してその上側に配設され、この実施形態ではカバー部材１４のカバー壁３２の内面に、中間プレート４２及び仕切壁４０が例えば接着剤又は固定用ねじ等を用いて固定されている。中間プレート４２には、図３に示すように、断面が略矩形状である凹部４２ａ及び凸部４２ｂが交互に実質上連続して設けられ、これら凹部４２ａ及び凸部４２ｂは半径方向に直線状に延びている。このような中間プレート４２をカバー壁３２と仕切壁４０の間に介在させることによって、カバー壁３２とこれに対向する中間プレート４２の凹部４２ａとの間に半径方向に延びる通気路４４（図２参照）が形成されると共に、仕切壁４０とこれに対向する中間プレート４２の凸部４２ｂとの間にも半径方向に延びる通気路（図示せず）が形成され、中間プレート４２の上下の各々に設けられた通気路４４が通路空間として機能する。これら仕切壁４０及び中間プレート４２の、記録媒体１１の回転中心部を基準に対向する部位には、円形状の開口４６，４８が形成されている。尚、この中間プレート４２は仕切壁４０を所定位置に保持するためのスペーサとしても機能する。このような中間プレート４２は、例えば板金のプレス加工によって、或いは樹脂の射出成型によって形成することができる。
【００２４】
仕切壁４０及び中間プレート４２の外径は、記録媒体１１の外径と実質上等しい又はこれより幾分大きくするのが望ましい。このように構成することによって、カバー部材１４のカバー壁３２及び仕切壁４０に形成される通気路４４の一端側開口（半径方向外側の開口）は、記録媒体１１の外周縁部又はその半径方向外側に、換言すると収容室１６の外周部に連通する。この通気路４４の他端側開口（半径方向内側の開口）は、記録媒体１１の回転中心部の上方に、換言すると収容室１６の略中央部に連通している。
【００２５】
このような記録媒体駆動装置１０では、駆動モータ１８が駆動して記録媒体１１は所定方向に回転すると、この回転によって収容室１６内の空気、特に記録媒体１１と仕切壁４０の間の空気は遠心力の作用によって図２に矢印Ａで示すように半径方向外方に流れ、これによって、収容室１６内の外周部の圧力がその中央部の圧力よりも高くなろうとする。しかし、半径方向外方に流動した空気は、図２に矢印Ｂで示すように、カバー部材１４、中間プレート４２及び仕切壁４０によって規定された通気路４４を通して半径方向内方に流れ、中間プレート４２及び仕切壁４０の開口４８，４６を通して収容室１６の略中央部に、換言すると記録媒体１１の回転中心部及びその近傍に戻され、このようにして収容室１６内の空気が通気路４４を通して循環され、このように循環することによって、記録媒体１１の上面側の略中央部における圧力低下（即ち、負圧状態）を抑え、圧力低下に伴う不都合、カバー部材１４の変形現象、記録媒体１１等の浮上現象、記録媒体１１の不安定振動現象等の発生を防止することができる。この形態では、中間プレート４２の凹部４２ａ及び凸部４２ｂによって通気路４４を規定しているので、半径方向外方に流れた空気は自ずと低圧側へ流れようとして通気路４４を通して半径方向内方にスムースに流すことができる。また、カバー壁３２の内面に中間プレート４２及び仕切壁４０を装着することで補強されるので、カバー壁３２の剛性が大きくなり、これによってもカバー部材１４の変形を抑えることができる。
【００２６】
中間プレートとしては、例えば図４に示す形態のものを用いることもできる。中間プレートの変形形態を示す図４を参照して、変形形態の中間プレート６２は記録媒体１１の形状に対応した円形状であり、その外径は、上述したように、記録媒体１１の外径と実質上等しく又はこれより幾分大きく形成される。この中間プレート６２では、断面が略矩形状である凹部６２ａ及び凸部６２ｂが周方向に交互に実質上連続して設けられ、これら凹部６２ａ及び凸部６２ｂは駆動モータの回転中心を中心として点対称で半径方向に螺旋状に延びている。この中間プレート６２の、記録媒体１１の回転中央部に対向する中央部には開口６４が設けられている。
【００２７】
このような中間プレート６２を用いても、その凹部６４ａ及び凸部６４ｂに対応してカバー部材１４のカバー壁３２と仕切壁４０との間に、駆動モータの回転中心を中心として点対称で半径方向外方に向けて螺旋状に拡がる通気路（通路空間を構成する）が規定され、半径方向外方に流動した空気はかかる通気路を通して半径方向内方に収容室１６の略中央部に戻され、かくして収容室１６内の空気を上述したと同様にして循環させることができる。また、この通気路は螺旋状に傾斜しており記録媒体１１の回動により生じる空気の流動する方向により近くなるため、駆動モータの回転中心を中心として半径方向外方に向けて直線放射状に拡がる通気路を構成した上述の中間プレート４２の場合に比べて空気がより循環され易くなる。
【００２８】
中間プレート及びこれに関連する構成を例えば図５に示すように構成することもできる。この変形形態では、２枚の中間プレート７２と、これらの両側に配設されたプレート状の仕切壁７４，７６と、これら中間プレート７２の間に配設されたプレート状の中間仕切壁７８から構成されている。中間プレート７２は断面が波形の凹凸が設けられたプレートから構成され、一方（図５において下側）の中間プレート７２は、それらの凹凸が所定方向（この形態では図５において右下から左上の方向）に延びるように配置され、他方（図５において上側）の中間プレート７２は、それらの凹凸が上記所定方向に対して垂直な方向（この形態では、図５においてほぼ左右方向）に延びるように配置され、空気を半径方向内方に案内する通気路（通路空間を構成する）が２層に設けられている（仕切壁７４と中間仕切壁７８との間に上記所定方向に延びる通気路が、また他方の仕切壁７４と中間仕切壁７８との間に上記所定方向に対して垂直に延びる通気路が設けられている）。この場合、仕切壁７４，７６，７８及び中間プレート７２には、記録媒体１１の回転中心部に対応して例えば円形状の開口７９が形成され、駆動モータの回転中心軸に対して点対称な通気路が構成される。尚、中間プレート７２の凹凸部を流れる空気をより多く開口７９を通して循環させるために、中間プレート７２の開口（図示せず）を上記凹凸部に対して垂直方向に細長く形成してもよい。
以上
【００２９】
このような構成のものをカバー部材１４のカバー壁３２の内面に取り付けると、カバー壁３２と他方の仕切壁７６との間に２層の通気路が設けられ、記録媒体１１の回転によって半径方向外方に流動した空気は、かかる２層の通気路を通して半径方向内方に収容室１６の略中央部に戻され、上述したと同様に収容室１６内の空気を循環させて記録媒体１１の上面側の略中央部における圧力低下を抑えることができる。更に、中間プレート７２自体の機械的剛性が高いため、カバー壁３２の剛性が大きくなり、カバー部材１４の変形をより確実に抑えることができる。
【００３０】
尚、仕切壁７４を省略してカバー壁３２を用いたり、中間プレート７２として、例えば図２及び図３に示す形態のもの、或いは例えば図４に示す形態のものを２枚重ねて通気路を２層にするようにしてもよい。また、中間プレートを３枚以上用いて通気路を３層以上にすることもできる。
【００３１】
上述した形態では中間プレートを用いているが、この中間プレートを省略して、例えば仕切壁の構成を図６に示す通りに構成するようにしてもよい。仕切壁の変形形態を示す図６を参照して、この変形形態では、円形状の仕切壁８２の一端面に周方向に間隔をおいて複数個、この形態では８個の案内突条８４が設けられ、これら案内突条８４は半径方向に直線状に延びている。
【００３２】
この仕切壁８２は、案内突条８４がカバー部材１４のカバー壁３２の内面に当接するように例えば接着剤を用いて固定され、このように構成することによって、仕切壁８２とカバー壁３２との間の通路空間に、隣接する案内突条８４間に半径方向に延びる通気路が形成され、このように構成しても上述したと同様の作用効果が達成されると共に、上述の仕切壁と中間プレートが仕切壁８２だけで済み部品点数が削減できる。尚、図示の形態では案内突条を仕切壁８２に設けているが、これに代えて、又はこれに加えてカバー部材１４のカバー壁の内面に設けるようにしてもよく、また案内突条８４を螺旋状に設けるようにしてもよい。
【００３３】
図７は仕切壁の他の変形形態を示しており、この形態では案内突条が省略されている。図７を参照して、図示の仕切壁９２は円形プレート状であり、その中央部に記録媒体１１の回転中心部に対応する開口９４が形成されている。また、その外周部には周方向に間隔をおいて複数個、この形態では３個の取付突起９６が設けられている。各取付突起９６は略逆Ｌ字状であり、その先端部が接着剤、固定用ねじ等によってカバー部材１４のカバー壁３２の内面に固定される。このような仕切壁９２を用いても上述したと同様の作用効果が達成される。
第２の実施形態
第１の実施形態では、ＣＤ−ＲＯＭ（ＣＤ−Ｒ）の如き記録媒体を回転駆動する駆動装置に適用して説明したが、例えばＨＤ（ハードディスク）の如き記録媒体を回転駆動する駆動装置にも同様に適用することができる。図７は、記録媒体駆動装置の第２の実施形態を簡略的に示す断面図である。
【００３４】
図７を参照して、この第２の形態では、記録媒体駆動装置は駆動装置本体１０２と、この駆動装置本体１０２に固定用ねじ（図示せず）等によって取り付けられたカバー部材１０４から構成され、駆動装置本体１０２及びカバー部材１０４は相互に協働して実質上密閉された収容室１０６を規定する。駆動装置本体１０２にはスピンドルモータの如き駆動モータ１０８の静止ハウジング１１０が取り付けられ、この駆動モータ１０８のロータハブ１１２にＨＤの如き記録媒体１１４が取り付けられている。記録媒体１１４及び駆動モータ１０８は上記収容室１０６内に収容され、記録媒体１１４は駆動モータ１０８のロータハブ１１２と一体的に回転駆動される。
【００３５】
カバー部材１０４は矩形状のカバー壁１１６を有し、駆動モータ１０８及び記録媒体１１４に対向してそれらの上方を覆っている。カバー壁１１６の４側部には駆動装置本体１０２に向けて延びる４側壁１１８（図７において２側壁を示す）が設けられ、これら４側壁１１８が駆動装置本体１０２に固定されている。カバー壁１１６の内面には、図２及び図３に図示したのと同様の中間プレート１２０及び仕切壁１２２が設けられ、かく中間プレート１２０及び仕切壁１２２を設けることによって、カバー壁３２と仕切壁１２２との間に半径方向に延びる通気路１２４から構成される通路空間が形成されている。尚、中間プレート及びこれに関連する構成として、図４〜図６に示すようにしてもよい。
【００３６】
このような構成の記録媒体駆動装置においても、その基本的構成が上述した第１の実施形態と同様であるので、上述したと同様の作用効果が達成される。尚収容室１０６には通常空気が満たれているが、駆動装置本体１０２及びカバー部材１０４によって実質上密閉された収容室１０６を規定する場合、記録媒体１１４等の回転体の空気抵抗を抑えるためにこの収容室１０６内に空気に代えて他の気体（例えば、空気に他の成分の気体を混合した混合気体）を密封することもあり、このような場合でも、収容室１０６に収容された気体が上述したように循環される。
【００３７】
以上、本発明に従う記録媒体駆動装置の実施形態について説明したが、本発明はこれら実施形態に限定されるものではなく、本発明の範囲を逸脱することなく種々の変形乃至修正が可能である。
【００３８】
例えば、上述した実施形態では、記録媒体として、ＣＤ−ＲＯＭ、ＣＤ−Ｒ、ＨＤ等を回転駆動する駆動装置に適用して説明したが、これに限定されることなく、他の記録媒体、例えばＤＶＤ、ＤＶＤ−ＲＯＭ等を回転駆動する駆動装置
にも同様に適用することができる。
【００３９】
【発明の効果】
本発明の請求項１の記録媒体駆動装置によれば、カバー部材のカバー壁の内側に設けられた仕切壁よって通路空間が形成されているので、記録媒体の回転によって仕切壁と記録媒体の間の空間の気体が半径方向外方に流動すると、この流動した気体は通路空間を通して半径方向内側に流れ、仕切壁の開口を通して記録媒体の回転中心部及びその近傍に戻される。このように気体が循環するので、収容室内の特定部位、特に記録媒体の中心部近傍の圧力低下を抑え、圧力低下による不都合を解消することができる。
【００４０】
また、本発明の請求項２の記録媒体駆動装置によれば、カバー壁及び仕切壁のいずれか一方又は双方に案内突条が設けられているので、半径方向内方に流れる気体を案内突条に沿って仕切壁の開口に向けてスムースに流すことができる。
【００４１】
また、本発明の請求項３の記録媒体駆動装置によれば、中間プレートに通気路が形成されているので、半径方向内方に流れる気体を通気路を通して仕切壁の開口に向けてスムースに流すことができる。
【００４２】
また、本発明の請求項４の記録媒体駆動装置によれば、中間プレートが凹凸条に形成されているので、その片面とカバー壁との間、及びその他面と仕切壁との間の通気路を通して気体をスムースに流すことができる。
更に、本発明の請求項５の記録媒体駆動装置によれば、収容室内の気体をスムースに循環させて特定部位の圧力低下を抑えることができる。
【図面の簡単な説明】
【図１】第１の実施形態の記録媒体駆動装置を搭載したパソコンを簡略的に示す斜視図である。
【図２】図１の記録媒体駆動装置を簡略的に示す断面図である。
【図３】図２の記録媒体駆動装置を分解して示す簡略斜視図である。
【図４】仕切壁の変形形態を示す斜視図である。
【図５】中間プレート及びそれに関連する構成の変形形態を示す斜視図である。
【図６】仕切壁の変形形態を示す斜視図である。
【図７】仕切壁の他の変形形態を示す斜視図である。
【図８】記録媒体駆動装置の第２の変形形態を簡略的に示す断面図である。
【符号の説明】
２  パソコン本体
４  カバー体
１０  記録媒体駆動装置
１１，１１４  記録媒体
１２，１０２  駆動装置本体
１４，１０４  カバー部材
１６，１０６  収容室
１８，１０８  駆動モータ
２６  記録媒体保持手段
３２，１１６  カバー壁
４０，７４，７６，８２，１２２  仕切壁
４２，６６，７２，１２０  中間プレート
４４，１２４  通気路
７８  中間仕切壁
【図１】
0004005743.tif 000002
【図２】
0004005743.tif 000003
【図３】
0004005743.tif 000004
【図４】
0004005743.tif 000005
【図５】
0004005743.tif 000006
【図６】
0004005743.tif 000007
【図７】
0004005743.tif 000008
【図８】
0004005743.tif 000009